(57)【要約】 【課題】  ロック解除の際の作業性の向上を図る。【解決手段】  治具Ｊを嵌合凹部３１とロックアーム１５との隙間に差し込んでロックアーム１５を第１コネクタ１０の外面側へ弾性撓みさせてロック解除状態にすると、治具Ｊはロックアーム１５の弾性復元力によりロックアーム１５と押え部１３との間で挟み付けられた状態となり、この状態は、両コネクタ１０，３０の離間に伴って嵌合凹部３１が治具Ｊとロックアーム１５から外れた後も維持される。したがって、治具Ｊが第１コネクタ１０から外れないように押さえ付けておく必要がなく、作業性がよい。【選択図】  図６
2005071846.tif 000002
【特許請求の範囲】
【請求項１】
外面に沿った形態であってその外面に接近する方向への弾性撓みを可能とされたロックアームを有する第１コネクタと、前記第１コネクタを嵌入させる嵌合凹部を有するとともにその嵌合凹部の内面にロック部が形成された第２コネクタとからなり、前記嵌合凹部内に前記第１コネクタが嵌入した状態では、前記ロックアームが前記ロック部に係止することで前記両コネクタが嵌合状態にロックされ、前記両コネクタが嵌合した状態において前記嵌合凹部の内面と前記ロックアームの外面との間に細長い治具を差し込むことで、前記ロックアームが前記第１コネクタの外面側へ弾性撓みしつつ前記ロック部から解離するようにしたコネクタにおいて、
前記第１コネクタには、前記ロックアームの外面と対向する押え部が設けられ、前記治具により前記ロックアームを前記第１コネクタの外面側へ弾性撓みさせたロック解除状態では、前記治具が前記ロックアームの弾性復元力により前記ロックアームと前記押え部との間で挟み付けられた状態に保持される構成としたことを特徴とするコネクタ。
【請求項２】
前記両コネクタを嵌合した状態では、前記押え部が前記嵌合凹部の外側に位置し、且つ前記押え部の内面が前記嵌合凹部の内面に対してほぼ面一状となる構成としたことを特徴とする請求項１記載のコネクタ。
【請求項３】
前記ロックアームが片持ち状に延出する形態であって、前記押え部が前記ロックアームの延出端部を覆う領域に配されている請求項１又は請求項２に記載のものにおいて、
前記ロックアームの外面と前記押え部の内面との間には、前記治具の厚さよりも小さく且つ前記治具の進入を許容する隙間が確保されていることを特徴とするコネクタ。
【請求項４】
前記ロックアームが前記嵌合凹部への嵌入方向とは反対方向へ片持ち状に延出する形態とされているとともに、前記押え部が前記ロックアームの延出端部を覆う領域に配されている請求項１〜請求項３のいずれかに記載のものにおいて、
前記押え部には、前記ロックアームの幅方向においてその延出端部の外面を部分的に露出させる切欠部が形成されていることを特徴とするコネクタ。
【請求項５】
前記ロックアームが片持ち状に延出する形態とされている請求項１〜請求項４のいずれかに記載のものにおいて、
前記押え部が、前記ロックアームの延出端部と対応する領域に配されているとともに、前記第１コネクタの外面から前記ロックアームの延出端部の両側縁に沿って立ち上がる一対の側壁の間に差し渡された形態とされていることを特徴とするコネクタ。
【請求項６】
前記ロックアームの外面には前記ロック部に係止されるロック突起が形成されている請求項１〜請求項５のいずれかに記載のものにおいて、前記ロック突起が前記ロックアームよりも幅狭の形態とされていることを特徴とするコネクタ。
【請求項７】
前記ロック突起が、前記ロックアームのいずれか一方の側縁部に沿った位置に配されていることを特徴とする請求項６記載のコネクタ。
【発明の詳細な説明】
【技術分野】
【０００１】
本発明は、ロックアームを備えたコネクタに関するものである。
【背景技術】
【０００２】
コネクタ同士を嵌合状態にロックする手段として、一方のコネクタの外面に沿うようにロックアームを設けるとともに、他方のコネクタの嵌合凹部の内面にロック部を形成する構造がある。一方のコネクタを他方のコネクタの嵌合凹部に嵌入した状態では、ロックアームが嵌合凹部の内面に沿った姿勢でロック部に係止することにより両コネクタが嵌合状態にロックされる。嵌合状態にある両コネクタを離脱させる際には、ロックアームを一方のコネクタの外面側へ弾性撓みさせつつロック部から解離させることによりロックを解除し、このロック解除状態を保ったままで両コネクタを引き離す。尚、ロックアームを備えたコネクタとしては、特許文献１に開示されているものがある。
【特許文献１】特開平７−２２０８０７号公報
【発明の開示】
【発明が解決しようとする課題】
【０００３】
近年、コネクタの小型化が要望されているが、上記のようなロックアームを備えたコネクタを小型化した場合、ロックアームも小さくなるため、ロックアームを指でロック解除操作することが困難となる。したがって、ロックアームをロック解除する際には、細長い治具を用いることが考えられる。即ち、嵌合凹部の内面とロックアームの外面との隙間に治具を差し込むことにより、ロックアームを嵌合凹部の内面から離間する方向へ弾性撓みさせ、もって、ロックアームをロック部から解離させるのである。
【０００４】
嵌合凹部とロックアームとの隙間に差し込まれた治具は、ロックアームの弾性復元力により、ロックアームと嵌合凹部の内面との間に挟まれた状態に保持される。ところが、両コネクタが離間して嵌合凹部が治具及びロックアームから外れた瞬間に、ロックアームが弾性復帰し、その勢いで治具が弾かれて紛失してしまうことが懸念されるため、治具をロックアームから外れないように指で押さえておく必要があり、作業性が悪いという問題がある。
【０００５】
本発明は上記のような事情に基づいて完成されたものであって、ロック解除の際の作業性の向上を図ることを目的とする。
【課題を解決するための手段】
【０００６】
上記の目的を達成するための手段として、請求項１の発明は、外面に沿った形態であってその外面に接近する方向への弾性撓みを可能とされたロックアームを有する第１コネクタと、前記第１コネクタを嵌入させる嵌合凹部を有するとともにその嵌合凹部の内面にロック部が形成された第２コネクタとからなり、前記嵌合凹部内に前記第１コネクタが嵌入した状態では、前記ロックアームが前記ロック部に係止することで前記両コネクタが嵌合状態にロックされ、前記両コネクタが嵌合した状態において前記嵌合凹部の内面と前記ロックアームの外面との間に細長い治具を差し込むことで、前記ロックアームが前記第１コネクタの外面側へ弾性撓みしつつ前記ロック部から解離するようにしたコネクタにおいて、前記第１コネクタには、前記ロックアームの外面と対向する押え部が設けられ、前記治具により前記ロックアームを前記第１コネクタの外面側へ弾性撓みさせたロック解除状態では、前記治具が前記ロックアームの弾性復元力により前記ロックアームと前記押え部との間で挟み付けられた状態に保持される構成としたところに特徴を有する。
【０００７】
請求項２の発明は、請求項１に記載のものにおいて、前記両コネクタを嵌合した状態では、前記押え部が前記嵌合凹部の外側に位置し、且つ前記押え部の内面が前記嵌合凹部の内面に対してほぼ面一状となる構成としたところに特徴を有する。
【０００８】
請求項３の発明は、前記ロックアームが片持ち状に延出する形態であって、前記押え部が前記ロックアームの延出端部を覆う領域に配されている請求項１又は請求項２に記載のものにおいて、前記ロックアームの外面と前記押え部の内面との間には、前記治具の厚さよりも小さく且つ前記治具の進入を許容する隙間が確保されているところに特徴を有する。
【０００９】
請求項４の発明は、前記ロックアームが前記嵌合凹部への嵌入方向とは反対方向へ片持ち状に延出する形態とされているとともに、前記押え部が前記ロックアームの延出端部を覆う領域に配されている請求項１〜請求項３のいずれかに記載のものにおいて、前記押え部には、前記ロックアームの幅方向においてその延出端部の外面を部分的に露出させる切欠部が形成されているところに特徴を有する。
【００１０】
請求項５の発明は、前記ロックアームが片持ち状に延出する形態とされている請求項１〜請求項４のいずれかに記載のものにおいて、前記押え部が、前記ロックアームの延出端部と対応する領域に配されているとともに、前記第１コネクタの外面から前記ロックアームの延出端部の両側縁に沿って立ち上がる一対の側壁の間に差し渡された形態とされているところに特徴を有する。
【００１１】
請求項６の発明は、前記ロックアームの外面には前記ロック部に係止されるロック突起が形成されている請求項１〜請求項５のいずれかに記載のものにおいて、前記ロック突起が前記ロックアームよりも幅狭の形態とされているところに特徴を有する。
【００１２】
請求項７の発明は、請求項６に記載のものにおいて、前記ロック突起が、前記ロックアームのいずれか一方の側縁部に沿った位置に配されているところに特徴を有する。
【発明の効果】
【００１３】
＜請求項１の発明＞
治具を嵌合凹部とロックアームとの隙間に差し込んでロックアームを第１コネクタの外面側へ弾性撓みさせてロック解除状態にすると、治具はロックアームの弾性復元力によりロックアームと押え部との間で挟み付けられた状態となり、この状態は、両コネクタの離間に伴って嵌合凹部が治具とロックアームから外れた後も維持される。したがって、治具が第１コネクタから外れないように押さえ付けておく必要がなく、作業性がよい。
【００１４】
＜請求項２の発明＞
治具は、押え部の内面に沿わせつつ差し込めば、嵌合凹部の内面に沿う状態となるので、治具が嵌合凹部の開口縁に突き当たることが防止される。
【００１５】
＜請求項３の発明＞
ロックアームが片持ち状に延出する形態であって、押え部がロックアームの延出端部を覆う領域に配されているものの場合、ロックアームの外面と押え部の内面との隙間に治具を差し込む際に、治具がロックアームの延出端に突き当たってしまうことが懸念される。しかし、ロックアームの外面と押え部の内面との間には隙間が確保されているので、治具を押え部の内面に沿って滑らせるようにすれば、ロックアームの延出端に突き当てることなくロックアームと押え部との隙間に差し込むことができる。
【００１６】
＜請求項４の発明＞
ロックアームが嵌合凹部への嵌入方向とは反対方向へ片持ち状に延出する形態であって、押え部がロックアームの延出端部を覆う領域に配されている構造の場合、治具をロックアームの延出端部と押え部との間に差し込む際に、延出端部と治具との位置関係が目視できず、治具の差込み作業に手間取ることが懸念される。しかし、押え部には、ロックアームの幅方向においてその延出端部の外面を部分的に露出させる切欠部が形成されているので、この切欠部においてロックアームの延出端部と治具との位置関係を目視確認することができる。したがって、治具を差し込む作業に支障を来すことはない。
【００１７】
＜請求項５の発明＞
ロックアームが片持ち状に延出する形態とされている場合、第１コネクタから導出された電線がロックアームの延出端部と第１コネクタの外面との間に入り込み、ロックアームを正規方向とは反対に第１コネクタの外面から離間する方向へ変形させてしまうことが懸念される。しかし、ロックアームの延出端部は、一対の側壁とその両側壁の間に差し渡された押え部によって包囲されているので、ロックアームと第１コネクタの外面との間に電線が入り込むことが防止されている。
【００１８】
＜請求項６の発明＞
ロックアームの外面に沿って差し込まれた治具は、ロック突起の形成されていない領域を通過させることにより、ロック突起よりも奥方にまで到達させることができ、治具の差込み深さの選択の自由度が高い。したがって、治具の差込み深さを適宜に設定する事により、ロックアームを効果的に弾性撓みさせることが可能となる。
【００１９】
＜請求項７の発明＞
ロック突起とロック部との幅方向における係止代を一定寸法確保するという条件のもとにおいて、ロック突起を２つに分けてロックアームの両側縁部に沿うように配置した場合は、治具の最大幅寸法が、ロックアームの幅寸法からロック突起の幅寸法を減じた寸法となる。これに対し、ロック突起をロックアームの一方の側縁部に沿って配した場合は、ロックアームの弾性撓みを許容するためにロックアームと側壁との間に必然的に確保されるクリアランスの寸法分だけ、治具の最大幅寸法を上記の場合よりも大きくすることができる。
【発明を実施するための最良の形態】
【００２０】
＜実施形態１＞
以下、本発明を具体化した実施形態１を図１乃至図１１を参照して説明する。  本実施形態のコネクタは、第１コネクタ１０と第２コネクタ３０とからなる。第１コネクタ１０は、全体として横長の厚板ブロック状をなし、その内部には複数の雌端子金具（図示せず）が収容されている。第１コネクタ１０の上面（本発明の構成要件である外面）における幅方向中央位置には、溝部１１が形成されている。溝部１１は、第１コネクタ１０の前後両端面に開口しており、また、溝部１１の左右両側壁１２の後端部においては、その両側壁１２の上端縁の間に水平に差し渡された形態の平板状をなす押え部１３が、一体に形成されている。押え部１３の内面（即ち、溝部１１の底面と対向する下面）は、第１コネクタ１０の上面及び溝部１１の底面と平行な平坦面であり、側壁１２よりも高い位置にある。また、押え部１３の後端縁には、その左端部を切欠した形態の切欠部１４が形成されている。
【００２１】
溝部１１内には、第１コネクタ１０に一体形成されたロックアーム１５が収容されている。ロックアーム１５は、第１コネクタ１０の上面（溝部１１の底面）における前端縁から立ち上がると共に、後方（後述する嵌合凹部３１に対する第１コネクタ１０の嵌入方向とは反対方向）へ片持ち状に延出した形態であって、前端の支持部１６を支点として上下方向（即ち、第１コネクタ１０の上面に対して接近又は離間する方向）へ弾性撓みすることが可能となっている。
【００２２】
ロックアーム１５の幅寸法は、溝部１１の両側壁１２間の間隔よりも小さい寸法とされ、この寸法差により、ロックアーム１５が側壁１２と干渉することなく弾性撓みすることを許容するクリアランスが確保されている。また、ロックアーム１５の延出端（即ち、後端）は、溝部１１の後端（即ち、押え部１３の後縁）よりも僅かに前方であって押え部１３の前縁よりも後方に位置している。つまり、ロックアーム１５の延出端部１５Ｒは、押え部１３により上から覆い隠された領域に位置していることになる。また、ロックアーム１５の延出端部１５Ｒは、押え部１３だけでなく、左右両側壁１２によっても側方から囲まれた状態となっている。さらに、ロックアーム１５の延出端縁は、切欠部１４の切欠領域内に位置し、したがって、上から第１コネクタ１０を視たときにロックアーム１５の延出端部１５Ｒの左端部が切欠部１４を通して目視できるようになっている。
【００２３】
ロックアーム１５の上面は、その全長に亘って側壁１２の上縁よりも低い高さとされており、ロックアーム１５の上面（外面）と押え部１３の下面（内面）との間には、隙間１７が空いている。ロックアーム１５の上面のうち略前半領域１８Ｆは、略後半領域１８Ｒに対して段差状に低くなっており、この両領域１８Ｆ，１８Ｒの境界には傾斜面２１Ｆが形成されている。また、略前半領域１８Ｆと略後半領域１８Ｒとは、共に、水平（即ち、第１コネクタ１０の上面及び溝部１１の底面と平行）をなしている。
【００２４】
ロックアーム１５の上面には、略後半領域１８Ｒの前端、即ち押え部１３よりも前方に位置するようにロック突起２０が形成されている。ロック突起２０の前面は、傾斜面２１Ｆと同じ勾配で、且つ傾斜面２１Ｆに対して面一状に連なる誘導面１９Ｆとなっている。ロック突起２０の後面は、ロックアーム１５の上面に対して直角（即ち、嵌合凹部３１に対する第１コネクタ１０の嵌入方向と直角）な係止面２１Ｒとなっている。また、ロック突起２０の幅方向における形成領域は、ロックアーム１５の全幅のほぼ２／３であって、ロックアーム１５の右側に偏った位置、つまり、幅方向において切欠部１４とは非対応の位置となっており、ロック突起２０の右側面はロックアーム１５の右側面に対して面一状に連なっている。
【００２５】
第２コネクタ３０は、回路基板（図示せず）の上面に取り付けられるものであって、第１コネクタ１０と同様に、外形は全体として横長のブロック状をなす。第２コネクタ３０の内部には、前面に開口する嵌合凹部３１が形成されており、この嵌合凹部３１内には第１コネクタ１０が嵌入されるようになっている。尚、嵌合凹部３１内には細長い雄端子金具３２が前方へ突出されている。嵌合凹部３１の上面壁の内面（下面）における幅方向中央位置には、突起状のロック部３３が形成されている。このロック部３３の幅方向における形成領域は、ロックアーム１５のロック突起２０と対応する範囲に設定されている。
【００２６】
次に、本実施形態の作用を説明する。
【００２７】
両コネクタ１０，３０を嵌合する際には、嵌合凹部３１内に第１コネクタ１０を嵌入すればよい。嵌入の過程では、ロック突起２０の誘導面１９Ｆがロック部３３に当接し、誘導面１９Ｆの傾斜によりロックアーム１５が下方（第１コネクタ１０の上面に接近する方向）へ弾性撓みさせられる。そして、第１コネクタ１０が正規位置まで進入して両コネクタ１０，３０が正規の嵌合状態に至ると、ロック突起２０がロック部３３を通過してロックアーム１５が上方へ弾性復帰し、ロック突起２０の係止面２１Ｒがロック部３３に係止し、もって両コネクタ１０，３０が嵌合状態にロックされる。
【００２８】
この嵌合ロック状態では、押え部１３が、嵌合凹部３１に対しその外側で且つ近接した位置で連なるように位置しており、また、押え部１３の内面は嵌合凹部３１の上面板の内面とほぼ同じ高さで連なる。
【００２９】
次に、この嵌合状態にある両コネクタ１０，３０を離脱させる際には、細長い治具Ｊが用いられる。治具Ｊは、第１コネクタ１０の後方から前向き（即ち、嵌合凹部３１に対する第１コネクタ１０の嵌入方向と同じ方向）に押え部１３の内面とロックアーム１５の外面との隙間に差し込まれる。このとき、切欠部１４においてロックアーム１５の延出端部１５Ｒを目視することができるので、治具Ｊの先端がロックアーム１５の延出端部１５Ｒに突き当たるのを回避することができる。また、切欠部１４に治具Ｊを嵌合させつつ斜め上から差し込むようにすると、治具Ｊの先端がロックアーム１５の上面に確実に当接するので、治具Ｊがロックアーム１５の下に潜り込んでしまうことが回避される。
【００３０】
ロックアーム１５と押え部１３との隙間に潜り込ませた治具Ｊを、更に、嵌合凹部３１の内部に向かって差し込むと、ロックアーム１５が下方へ弾性撓みさせられていく。このとき、治具Ｊを切欠部１４と対応する位置、即ちロックアーム１５の左側に偏った位置に保つことにより、治具Ｊの先端部を、ロック突起２０及びロック部３３と干渉せず、これらの左側の空間を擦り抜けてロック突起２０よりも前方（ロック部３３よりも嵌合凹部３１の奥方）へ進めることができる。治具Ｊの先端がロックアーム１５の前端部近傍に達すると、ロックアーム１５の弾性撓み量が最大となり、ロック突起２０がロック部３３から下方へ解離して、ロック解除状態となる。
【００３１】
このロック解除状態では、ロックアーム１５の弾性復元力により治具Ｊがロックアーム１５の上面と押え部１３の下面との間で弾性的に挟み付けられた状態に保持される。ロックアーム１５の上面は、押え部１３よりも前方の位置であって前後に間隔を空けた２箇所において治具Ｊの下面に当接する。即ち、当接位置は、ロックアーム１５の前端の支持部１６（弾性撓みの支点なる位置）に近い位置と、これよりも後方であって傾斜面２１Ｆの後端縁（略後半領域１８Ｒの前端縁）との２箇所である。
【００３２】
このあとは、この治具Ｊによるロック解除状態を保ったままで、両コネクタ１０，３０を引き離して第１コネクタ１０を嵌合凹部３１の外へ離脱させればよい。第１コネクタ１０が嵌合凹部３１から離脱されると、治具Ｊの上面から嵌合凹部３１が外れてしまうため、ロックアーム１５の弾性復元力によって治具Ｊが上方へ弾かれてしまうことが懸念される。しかし、治具Ｊの上面は押え部１３に当接しているので、治具Ｊが上方へ弾かれることはない。この後は、治具Ｊを後方へ引き抜けば、ロックアーム１５が自由状態へ弾性復帰する。
【００３３】
上述のように本実施形態においては、治具Ｊを嵌合凹部３１とロックアーム１５との隙間に差し込んでロックアーム１５を第１コネクタ１０の外面側へ弾性撓みさせてロック解除状態にすると、治具Ｊはロックアーム１５の弾性復元力によりロックアーム１５と押え部１３との間で挟み付けられた状態となり、この状態は、両コネクタ１０，３０の離間に伴って嵌合凹部３１が治具Ｊとロックアーム１５から外れた後も維持される。したがって、治具Ｊが第１コネクタ１０から外れないように押さえ付けておく必要がなく、作業性がよい。
【００３４】
また、両コネクタ１０，３０を嵌合した状態では、押え部１３が嵌合凹部３１の外側に位置し、且つ押え部１３の内面が嵌合凹部３１の内面に対してほぼ面一状となるようにしたので、治具Ｊを、押え部１３の内面に沿わせつつ差し込めば、嵌合凹部３１の内面に沿う状態となる。したがって、治具Ｊが嵌合凹部３１の開口縁に突き当たることが防止される。
【００３５】
また、本実施形態では、ロックアーム１５が片持ち状に延出する形態であって、押え部１３がロックアーム１５の延出端部１５Ｒを覆う領域に配されているため、ロックアーム１５の外面と押え部１３の内面との隙間に治具Ｊを差し込む際に、治具Ｊがロックアーム１５の延出端に突き当たってしまうことが懸念される。しかし、ロックアーム１５の外面と前記押え部１３の内面との間には、前記治具Ｊの厚さよりも小さく且つ前記治具Ｊの進入を許容する隙間が確保されているので、治具Ｊを押え部１３の内面に沿って滑らせるようにすれば、ロックアーム１５の延出端に突き当てることなくロックアーム１５と押え部１３との隙間に差し込むことができる。
【００３６】
また、ロックアーム１５が嵌合凹部３１への嵌入方向とは反対方向へ片持ち状に延出する形態であって、押え部１３がロックアーム１５の延出端部１５Ｒを覆う領域に配されている構造の場合、治具Ｊをロックアーム１５の延出端部１５Ｒと押え部１３との間に差し込む際に、延出端部１５Ｒと治具Ｊとの位置関係が目視できず、治具Ｊの差込み作業に手間取ることが懸念される。しかし、押え部１３には、ロックアーム１５の幅方向においてその延出端部１５Ｒの外面を部分的に露出させる切欠部１４が形成されているので、この切欠部１４においてロックアーム１５の延出端部１５Ｒと治具Ｊとの位置関係を目視確認することができる。したがって、治具Ｊを差し込む作業に支障を来すことはない。
【００３７】
また、ロックアーム１５が片持ち状に延出する形態とされている場合、第１コネクタ１０から導出された電線（図示せず）がロックアーム１５の延出端部１５Ｒと第１コネクタ１０の外面との間に入り込み、ロックアーム１５を正規方向とは反対に第１コネクタ１０の外面から離間する方向へ変形させてしまうことが懸念される。しかし、ロックアーム１５の延出端部１５Ｒは、一対の側壁１２とその両側壁１２の間に差し渡された押え部１３によって包囲されているので、ロックアーム１５と第１コネクタ１０の外面との間に電線が噛み込むことが防止されている。
【００３８】
また、ロックアーム１５の外面に形成されたロック突起２０は、ロックアーム１５よりも幅狭の形態とされているので、ロックアーム１５の外面に沿って差し込まれた治具Ｊは、ロック突起２０の形成されていない領域を通過させることにより、ロック突起２０よりも奥方にまで到達させることができる。つまり、治具Ｊの差込み深さの選択の自由度が高い。したがって、治具Ｊの差込み深さを適宜に設定する事により、ロックアーム１５を効果的に弾性撓みさせることが可能となる。
【００３９】
また、ロック突起２０とロック部３３との幅方向における係止代を一定寸法確保するという条件のもとにおいて、もし、ロック突起を左右２つに分けてロックアームの左右両側縁部に沿うように配置した場合、治具Ｊの最大幅寸法は、ロックアームの幅寸法からロック突起の幅寸法を減じた寸法となる。これに対し、本実施形態では、ロック突起２０をロックアーム１５の一方（右側）の側縁部に沿って配しているので、治具Ｊをロックアーム１５の側方へはみ出させることが可能である。つまり、そのはみ出し寸法分だけ、治具Ｊの最大幅寸法を上記の場合よりも大きくすることができる。
【００４０】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００４１】
（１）上記実施形態ではロックアームが片持ち状に延出する形態としたが、本発明によれば、ロックアームが第１コネクタの外面に両端支持された形態であってもよい。
【００４２】
（２）上記実施形態ではロックアームの外面と押え部の内面との間に治具の進入を許容する隙間を確保したが、本発明によれば、ロックアームが弾性撓みしない自由状態においてロックアームの外面と押え部の内面とが当接する形態としてもよい。
【００４３】
（３）上記実施形態では押え部がロックアームの延出端部を覆い隠す領域に配されているが、本発明によれば、押え部がロックアームの延出端部を目視可能に露出させる形態であってもよい。
【００４４】
（４）上記実施形態ではロックアームの延出端部を目視可能とする手段として押え部に切欠部を形成したが、本発明によれば、このような切欠部を形成しない形態としてもよい。
【００４５】
（５）上記実施形態ではロック突起がロックアームの幅方向における一部のみに配されるようにしたが、本発明によれば、ロック突起がロックアームの幅方向全域に亘って形成されるようにしてもよい。
【００４６】
（６）上記実施形態ではロック突起をロックアームの一方の側縁部に沿うように配したが、本発明によれば、ロックアームよりも幅狭のロック突起をロックアームの幅方向中央部に配してもよい。
【００４７】
（７）上記実施形態ではロックアームに１つのロック突起を形成したが、本発明によれば、複数のロック突起を幅方向に並べて配置してもよい。
【００４８】
（８）上記実施形態では第２コネクタのロック部との係止手段としてロック突起を形成したが、本発明によれば、ロック突起に替えて、孔状又は段差状の係止手段をロックアームに形成してもよい。
【００４９】
（９）上記実施形態では治具がロックアームの弾性復元力によりロックアームと押え部との間で挟み付けられた状態では、ロックアームの外面がその２カ所において治具に点接触状に当接するようにしたが、本発明によれば、ロックアームの外面が治具に対してロックアームの長さ方向（即ち、治具の差込み方向）において連続する形態で面接触するようにしてもよい。
【００５０】
（１０）上記実施形態では押え部の内面が嵌合凹部の内面に対してほぼ面一状となるようにしたが、本発明によれば、押え部の内面が嵌合凹部の内面に対して段差状にずれた位置関係となるようにしてもよい。
【図面の簡単な説明】
【００５１】
【図１】実施形態１において両コネクタを離脱した状態をあらわす斜視図
【図２】両コネクタを嵌合した状態をあらわす斜視図
【図３】両コネクタを離脱した状態をあらわす断面図
【図４】両コネクタが嵌合した状態をあらわす断面図
【図５】治具により両コネクタの嵌合ロックを解除した状態をあらわす断面図
【図６】治具をロックアームと押え部との間に挟んだままで両コネクタを離脱した状態をあわらす断面図
【図７】第１コネクタの正面図
【図８】第１コネクタの背面図
【図９】第１コネクタの平面図
【図１０】第２コネクタの正面図
【図１１】両コネクタが嵌合した状態をあらわす平面図
【符号の説明】
【００５２】
１０…第１コネクタ
１２…側壁
１３…押え部
１４…切欠部
１５…ロックアーム
１５Ｒ…ロックアームの延出端部
２０…ロック突起
３０…第２コネクタ
３１…嵌合凹部
３３…ロック部
Ｊ…治具
【図１】
2005071846.tif 000003
【図２】
2005071846.tif 000004
【図３】
2005071846.tif 000005
【図４】
2005071846.tif 000006
【図５】
2005071846.tif 000007
【図６】
2005071846.tif 000008
【図７】
2005071846.tif 000009
【図８】
2005071846.tif 000010
【図９】
2005071846.tif 000011
【図１０】
2005071846.tif 000012
【図１１】
2005071846.tif 000013